(57)【要約】【課題】非接触通信機能を搭載した通信端末および、決済装置と、通信端末と決済装置の間で決済データを中継する中継カードを使用する電子決済システムにおいて、２重決済処理が発生しない電子決済システムを提供する。【解決手段】非接触通信によりデータを送信、受信する決済装置側非接触通信部と、対向機器との通信状態を判断する通信状態判定部と、対向機器のデータを読み取り決済データを判断するデータ判断部と、対向機器に対して書き込むデータを生成する決済データ処理部とからなる決済装置と、非接触通信によりデータを送信、受信する端末側非接触通信部を内蔵する通信端末と、非接触通信によりデータを送信、受信するカード側非接触通信部と、決済データを記録する決済データ記録部を内蔵する中継カードからなる電子決済システム。【選択図】図１
2012037996.tif 000002
【特許請求の範囲】
【請求項１】
第１の非接触通信部を備え、決済情報を前記第１の非接触通信部を介して送信する通信端末と、
前記第１の非接触通信部と通信可能な第２の非接触通信部と、前記第１の非接触通信部から受信する前記決済情報を保持する第２の決済情報保持部と、を備え、前記決済情報を前記第２の非接触通信部を介して送信する中継カードと、
前記第１及び第２の非接触通信部と通信可能な第３の非接触通信部を備え、前記決済情報を前記第３の非接触通信部を介して受信し、前記決済情報を基に決済処理を行う決済装置と、
を有する決済システムであって、
前記決済装置は、前記第３の非接触通信部が前記第１の非接触通信部と前記第２の非接触通信部の両方と通信可能な場合、前記第２の非接触通信部を前記第１の非接触通信部より優先して前記決済情報を受信する決済システム。
【請求項２】
請求項１に記載の決済システムであって、
前記決済装置は、前記第１の非接触通信部と前記第２の非接触通信部が通信圏内に存在するかどうか判定する通信状態判定部を備え、
前記第１の非接触通信部と前記第２の非接触通信部の両方が通信圏内に存在する場合、前記第２の非接触通信部を前記第１の非接触通信部より優先して前記決済情報を受信する決済システム。
【請求項３】
請求項１又は請求項２に記載の決済システムであって、
前記決済装置は、請求情報を保持する第１の請求情報保持部を備え、前記請求情報を前記第３の非接触通信部を介して送信し、
前記中継カードは、前記第２の非接触通信部を介して前記請求情報を受信し、前記請求情報を保持する第２の請求情報保持部を備え、前記請求情報を前記第２の非接触通信部を介して送信し、
前記通信端末は、前記第２の非接触通信部又は前記第３の非接触通信部より前記第１の非接触通信部を介して前記請求情報を受信し、前記請求情報に対応した前記決済情報を生成し、前記決済情報を第１の非接触通信部を介して送信し、
更に前記決済装置は、前記第３の非接触通信部が前記第１の非接触通信部と前記第２の非接触通信部の両方と通信可能な場合、前記第２の非接触通信部を前記第１の非接触通信部より優先して前記決済情報を受信し、受信した前記決済情報が、前記第１請求情報保持部が保持した請求情報と対応する場合、前記決済情報を基に決済処理を行う決済システム。
【請求項４】
請求項１から請求項３のいずれか１項に記載の決済システムであって、
前記決済装置は表示部を備え、
前記第３の非接触通信部が前記第１の非接触通信部と前記第２の非接触通信部の両方と通信可能な場合、その旨を前記表示部に表示する決済システム。
【請求項５】
請求項１から請求項４のいずれか１項に記載の決済システムであって、
前記決済装置はプリンタを備え、
前記第３の非接触通信部が前記第１の非接触通信部と前記第２の非接触通信部の両方と通信可能な場合、その旨を前記プリンタで印字する前記決済システム。
【請求項６】
第１の非接触通信部と決済情報保持部を備える通信端末と、
前記第１の非接触通信部と通信可能な第２の非接触通信部と第２の請求情報保持部とを備える中継カードと、
前記第1及び第２の非接触通信部と通信可能な第３の非接触通信部と第１の請求情報保持部とを備える決済装置とを有し、
前記決済装置は、第１の請求情報を、前記第１の請求情報保持部に保持するとともに前記第３の非接触通信部を介して送信し、
前記中継カードは、前記第２の非接触通信部を介して前記第1の請求情報を受信し、前記第1の請求情報を前記第２の請求情報保持部に保持するとともに前記第２の非接触通信部を介して送信し、
前記通信端末は、前記第２の非接触通信部より前記第１の非接触通信部を介して前記第１の請求情報を受信し、前記第1の請求情報に対応した第１の決済情報を生成し、前記第1の決済情報を前記決済情報保持部に保持するととともに、第１の非接触通信部を介して送信し、
前記決済装置は、前記第1の決済情報を前記第３の非接触通信部を介して受信し、受信した前記第1の決済情報が、前記第１請求情報保持部が保持した第１の請求情報と対応する場合、前記決済情報を基に決済処理を行う決済システムであって、
前記通信端末は、前記第３の非接触通信部より前記第１の非接触通信部を介して第２の請求情報を受信し、前記第２の請求情報が前記決済情報保持部に保持された第1の決済情報と対応しない場合は、前記第２の請求情報に対応した第２の決済情報を生成し、第１の非接触通信部を介して前記第３の非接触通信部へ送信し、
前記第２の請求情報が前記決済情報保持部に保持された第1の決済情報と対応する場合は、前記第２の請求情報に対応した第２の決済情報を送信せずに、代わりに決済済みである旨を送信する決済システム。
【請求項７】
請求項６に記載の決済システムであって、
前記通信端末は表示部を備え、
前記通信端末が、前記第３の非接触通信部より前記第１の非接触通信部を介して第２の請求情報を受信し、前記第２の請求情報が前記決済情報保持部に保持された第1の決済情報と対応しない場合は、前記第２の請求情報に対応した第２の決済情報を生成し、前記第２の決済情報を前記決済情報保持部に保持するととともに、第１の非接触通信部を介して前記第３の非接触通信部へ送信し、
その後に、前記通信端末は、前記第２の非接触通信部より前記第１の非接触通信部を介して第１の請求情報を受信し、前記第１の請求情報が前記決済情報保持部に保持された第２の決済情報と対応する場合は、前記表示部に決済済みである旨を表示する決済システム。
【請求項８】
請求項６又は請求項７に記載の決済システムであって、
前記通信端末は、前記第３の非接触通信部より前記第１の非接触通信部を介して第２の請求情報を受信し、前記第２の請求情報が前記決済情報保持部に保持された第１の決済情報と対応しない場合は、前記第２の請求情報に対応した第２の決済情報を生成し、第１の非接触通信部を介して前記第３の非接触通信部へ送信し、
その後に、前記決済装置は、前記第２の決済情報を前記第３の非接触通信部を介して受信し、受信した前記第２の決済情報が、前記第１の請求情報保持部が保持した第１の請求情報と対応する場合、前記決済情報を基に決済処理を行い、前記第３及び第２の非接触通信部を介して、前記第１の請求情報保持部に保持されて前記第１の請求情報の消去を試みる決済システム。
【請求項９】
請求項１から請求項８のいずれか１項に記載の決済システムであって、
前記通信端末と前記決済装置を有線又は無線で接続するネットワークを備え、
前記決済処理が完了した場合、前記ネットワークを介して完了したことを前記通端末に通知する決済システム。
【請求項１０】
決済情報を送信する通信端末及び前記決済情報を送信するカードと通信可能な非接触通信部を備え、前記決済情報を、前記非接触通信部を介して受信し、前記決済情報を基に決済処理を行う決済装置であって、
前記非接触通信部が前記通信端末と前記カードの両方と通信可能な場合、前記カードを前記通信端末より優先して前記決済情報を受信する決済装置。
【発明の詳細な説明】
【技術分野】
【０００１】
本発明は、非接触通信により通信端末と決済装置間で電子決済データの受け渡しを行う中継カードを使用して行うモバイル電子決済に関する。
【背景技術】
【０００２】
近年、通信相手と接触または密着する程度まで近接して通信を行う通信システムの開発要求が高まってきている。具体的には、電界または磁界の作用する、約１０ｃｍ以下の近接領域において、電界或いは磁界を利用して通信を行う通信システムである。このような通信システムは、電子決済を行う各種サービスなど多様な用途として用いられる。例えば、電磁誘導を使用した非接触通信機能を内蔵したクレジットカードによる物品などの購入時の決済で利用するサービスである。このようなサービスを行うために使用する機器としては、非接触機能を内蔵した決済装置、クレジットカードのほかに、クレジットカードの機能を搭載した携帯電話などのモバイル機器によるシステムが挙げられる。金銭情報を扱うため、利用者はモバイル機器を自らの手元から手離すことなく電子決済を行うための装置などが考えられている。（例えば、特許文献１）。
【先行技術文献】
【特許文献】
【０００３】
【特許文献１】特開平１０−１１６３０６号公報
【発明の概要】
【発明が解決しようとする課題】
【０００４】
しかしながら、このような電子決済を行う場合、クレジットカード機能を内蔵したモバイル機器には決済以外の個人情報が含まれることから、モバイル機器の所有者に対して決済を行う際に第３者にモバイル機器を手渡すことは抵抗感を与える。また、上記先行文献１に示すような装置の場合、通信端末を決済装置と非接触通信が行える距離まで移動させる必要があり、利便性に欠けるという課題がある。
【０００５】
本発明の目的は、非接触通信技術を使用し、通信端末と決済装置を使用して電子決済を行う決済システム等において、利用者が安心して利用できるとともに利便性の高い電子決済システムを提供することである。
【課題を解決するための手段】
【０００６】
本発明の決済システムは、第１の非接触通信部を備え、決済情報を前記第１の非接触通信部を介して送信する通信端末と、前記第１の非接触通信部と通信可能な第２の非接触通信部と、前記第１の非接触通信部から受信する前記決済情報を保持する第２の決済情報保持部と、を備え、前記決済情報を前記第２の非接触通信部を介して送信する中継カードと、前記第１及び第２の非接触通信部と通信可能な第３の非接触通信部を備え、前記決済情報を前記第３の非接触通信部を介して受信し、前記決済情報を基に決済処理を行う決済装置と、を有する決済システムであって、前記決済装置は、前記第３の非接触通信部が前記第１の非接触通信部と前記第２の非接触通信部の両方と通信可能な場合、前記第２の非接触通信部を前記第１の非接触通信部より優先して前記決済情報を受信する。
【０００７】
この構成により、決済装置は中継カードと優先して決済処理することにより、通信端末、中継カードの両方と決済を行うことによる２重決済を防止することができる。
【０００８】
これにより、本決済システムは、利用者が通信端末を第３者に手渡す必要なく、かつ通信端末を決済装置まで移動させる必要がないため、安心して利用できるとともに高い利便性を備える。
【０００９】
また、本発明の決済システムは、前記決済装置は、前記第１の非接触通信部と前記第２の非接触通信部が通信圏内に存在するかどうか判定する通信状態判定部を備え、前記第１の非接触通信部と前記第２の非接触通信部の両方が通信圏内に存在する場合、前記第２の非接触通信部を前記第１の非接触通信部より優先して前記決済情報を受信する。
【００１０】
この構成により、決済装置は通信端末と中継カードの両方が決済装置の通信圏内に存在することを判定し、中継カードを優先して決済処理することにより、２重決済を防止することができる。
【００１１】
また、本発明の決済システムは、前記決済装置は、請求情報を保持する第１の請求情報保持部を備え、前記請求情報を前記第３の非接触通信部を介して送信し、
前記中継カードは、前記第２の非接触通信部を介して前記請求情報を受信し、前記請求情報を保持する第２の請求情報保持部を備え、前記請求情報を前記第２の非接触通信部を介して送信し、前記通信端末は、前記第２の非接触通信部又は前記第３の非接触通信部より前記第１の非接触通信部を介して前記請求情報を受信し、前記請求情報に対応した前記決済情報を生成し、前記決済情報を第１の非接触通信部を介して送信し、更に前記決済装置は、前記第３の非接触通信部が前記第１の非接触通信部と前記第２の非接触通信部の両方と通信可能な場合、前記第２の非接触通信部を前記第１の非接触通信部より優先して前記決済情報を受信し、受信した前記決済情報が、前記第１請求情報保持部が保持した請求情報と対応する場合、前記決済情報を基に決済処理を行う。
【００１２】
この構成により、決済装置は通信端末により決済情報が書き込まれた中継カードと優先して決済処理をすることにより、２重決済を防止することができる。
【００１３】
また、本発明の決済システムは、前記決済装置は表示部を備え、前記第３の非接触通信部が前記第１の非接触通信部と前記第２の非接触通信部の両方と通信可能な場合、その旨を前記表示部に表示する。
【００１４】
この構成により、通信端末と中継カードの両方が決済装置の通信圏内に存在する場合両方と通信可能であることを決済装置の操作者が前記表示部の表示内容を確認することにより、２重決済を防止することができる。
また、本発明の決済システムは、前記決済装置はプリンタを備え、前記第３の非接触通信部が前記第１の非接触通信部と前記第２の非接触通信部の両方と通信可能な場合、その旨を前記プリンタで印字する。
【００１５】
この構成により、通信端末と中継カードの両方が決済装置の通信圏内に存在する場合両方と通信可能であることを決済装置の操作者が前記プリンタにより印字された内容を確認することにより、２重決済を防止することができる。
また、本発明の決済システムは、第１の非接触通信部と決済情報保持部を備える通信端末と、前記第１の非接触通信部と通信可能な第２の非接触通信部と第２の請求情報保持部とを備える中継カードと、前記第1及び第２の非接触通信部と通信可能な第３の非接触通信部と第１の請求情報保持部とを備える決済装置とを有し、前記決済装置は、第１の請求情報を、前記第１の請求情報保持部に保持するとともに前記第３の非接触通信部を介して送信し、前記中継カードは、前記第２の非接触通信部を介して前記第1の請求情報を受信し、前記第1の請求情報を前記第２の請求情報保持部に保持するとともに前記第２の非接触通信部を介して送信し、前記通信端末は、前記第２の非接触通信部より前記第１の非接触通信部を介して前記第１の請求情報を受信し、前記第1の請求情報に対応した第１の決済情報を生成し、前記第1の決済情報を前記決済情報保持部に保持するととともに、第１の非接触通信部を介して送信し、前記決済装置は、前記第1の決済情報を前記第３の非接触通信部を介して受信し、受信した前記第1の決済情報が、前記第１請求情報保持部が保持した第１の請求情報と対応する場合、前記決済情報を基に決済処理を行う決済システムであって、
前記通信端末は、前記第３の非接触通信部より前記第１の非接触通信部を介して第２の請求情報を受信し、前記第２の請求情報が前記決済情報保持部に保持された第1の決済情報と対応しない場合は、前記第２の請求情報に対応した第２の決済情報を生成し、第１の非接触通信部を介して前記第３の非接触通信部へ送信し、前記第２の請求情報が前記決済情報保持部に保持された第1の決済情報と対応する場合は、前記第２の請求情報に対応した第２の決済情報を送信せずに、代わりに決済済みである旨を送信する。
【００１６】
この構成により、決済装置は通信端末が中継カードと決済処理を行なったか否かが分かるため、決済処理を行っていない場合は通信端末と直接決済を行い、中継カードとは決済を行わないとすることにより、２重決済を防止することができる。
【００１７】
また、本発明の決済システムは、前記通信端末は表示部を備え、前記通信端末が、前記第３の非接触通信部より前記第１の非接触通信部を介して第２の請求情報を受信し、前記第２の請求情報が前記決済情報保持部に保持された第1の決済情報と対応しない場合は、前記第２の請求情報に対応した第２の決済情報を生成し、前記第２の決済情報を前記決済情報保持部に保持するととともに、第１の非接触通信部を介して前記第３の非接触通信部へ送信し、その後に、前記通信端末は、前記第２の非接触通信部より前記第１の非接触通信部を介して第１の請求情報を受信し、前記第１の請求情報が前記決済情報保持部に保持された第２の決済情報と対応する場合は、前記表示部に決済済みである旨を表示する。
【００１８】
この構成により、通信端末は決済装置と直接決済処理を行った後に中継カードと同一案件の決済処理を行おうとした場合既に決済済みである旨を通信端末の表示部に表示することで、中継カードの保有者に請求案件に対する決済処理が完了していることを知らせることができる。
【００１９】
また、本発明の決済システムは、前記通信端末は、前記第３の非接触通信部より前記第１の非接触通信部を介して第２の請求情報を受信し、前記第２の請求情報が前記決済情報保持部に保持された第１の決済情報と対応しない場合は、前記第２の請求情報に対応した第２の決済情報を生成し、第１の非接触通信部を介して前記第３の非接触通信部へ送信し、その後に、前記決済装置は、前記第２の決済情報を前記第３の非接触通信部を介して受信し、受信した前記第２の決済情報が、前記第１の請求情報保持部が保持した第１の請求情報と対応する場合、前記決済情報を基に決済処理を行い、前記第３及び第２の非接触通信部を介して、前記第１の請求情報保持部に保持されて前記第１の請求情報の消去を試みる。
【００２０】
この構成により、通信端末により決済処理が行われていない中継カードと通信端末が同時に決済装置の通信圏内に存在する場合、決済装置は通信端末と決済処理を行い中継カードの請求情報を消去することで、請求情報が書き込まれているが処理されることの無い中継カードが不合理に存在することによる不正利用の可能性を低減することができる。
【００２１】
また、本発明の決済システムは、前記通信端末と前記決済装置を有線又は無線で接続するネットワークを備え、前記決済処理が完了した場合、前記ネットワークを介して完了した旨を前記通端末に通知する。
【００２２】
この構成により、決済装置によって無事に決済が完了したことを、通信端末の使用者が知ることができ安心感を与えることができ本システムを使用した電子決済の信頼性を高めることができる。
また、本発明の決済装置は、決済情報を送信する通信端末及び前記決済情報を送信するカードと通信可能な非接触通信部を備え、前記決済情報を、前記非接触通信部を介して受信し、前記決済情報を基に決済処理を行う決済装置であって、
前記非接触通信部が前記通信端末と前記カードの両方と通信可能な場合、前記カードを前記通信端末より優先して前記決済情報を受信する。
【００２３】
この構成により、通信端末と中継カードの両方が決済装置と通信可能な場合に中継カードと優先して決済をすることにより、２重決済を防止することができる。
【発明の効果】
【００２４】
本発明によれば、通信端末と、中継カードと、決済装置を使用した非接触通信による電子決済を行うシステムにおいて、決済装置が通信端末と中継カードを同時に認識した場合において、中継カードを優先して決済処理を行うため、２重の決済を防ぐことができる。
【図面の簡単な説明】
【００２５】
【図１】本発明の実施の形態１に係るシステム構成図
【図２】本発明の実施の形態２に係るシステム構成図
【図３】本発明の実施の形態３に係るシステム構成図
【図４】本発明の実施の形態４に係るシステム構成図
【図５】本発明の実施の形態５に係るシステム構成図
【図６】本発明の実施の形態６に係るシステム構成図
【発明を実施するための形態】
【００２６】
以下、本発明における実施の形態について、図面を参照しながら詳細に説明する。
【００２７】
（実施の形態１）
図１は、本発明の実施の形態１に係るシステム構成図である。
【００２８】
決済装置１０１は、第３の非接触通信部１と、第３の非接触通信部１と接続され電磁誘導により通信を行うためのアンテナ２と、通信の状態を判定する通信状態判定部３と、第３の非接触通信部１により受信したデータを判定するデータ判定部４と、案件ごとに作成された請求情報を保持しておく第１の請求情報保持部６と、データ判定部４と通信状態判定部３と、第１の請求情報保持部６とからのデータを基にして第３の非接触通信部１に中継カード２０１や通信端末３０１に対して通信を行うためのデータを送信する決済データ処理部５から主に構成される。
【００２９】
中継カード２０１は、第２の非接触通信部２０と、第２の非接触通信２０と接続され電磁誘導により通信を行うためのアンテナ２１と、決済装置１０１によって書き込まれる決済案件の情報を保持する第２の請求情報保持部２３と、通信端末３０１によって決済処理が行われた際に通信端末３０１によって決済が行われたという決済情報を書き込み保持する第２の決済情報保持部２２とから主に構成される。
通信端末３０１は、第１の非接触通信部３０と、第１の非接触通信３０と接続され電磁誘導により通信を行うためのアンテナ３１と、中継カード２０１または、決済装置１０１によって決済処理を行う際に決済案件毎の請求情報を保持する第１の決済情報保持部３２と、決済処理を行う際に通信端末３０１の決済処理に必要な固有の情報を保持するＩＤ情報保持部３３とから主に構成される。
なお、ここで記載する非接触通信は１３．５６ ＭＨｚの搬送波周波数を使用した電磁誘導方式により通信であり、通信状態とは例えば、カード状態で通信しているか、リーダ・ライタ状態で通信しているか、ＩＳＯ／ＩＥＣ１４４４３ ＴｙｐｅＡ、ＴｙｐｅＢ、ＦｅｌｉＣａ、ＩＳＯ／ＩＥＣ１５６９３のタグ通信などの複数の通信方式状態のことである。
【００３０】
実施の形態１での電子決済を行う際の一連の動作について説明する。
【００３１】
例えば、店舗などで通信端末３０１の所有者が物品購入、飲食などを行うと店舗の決済装置で案件Ａとしての請求情報を生成する。請求情報とは、例えば、金額、明細、発生した日時、決済装置１０１を操作し請求データを作成した者の氏名、請求の対象となる顧客に関する情報などである。次に店舗の店員は中継カード２０１を決済装置１０１と非接触通信が可能な位置にかざす。かざされた中継カード２０１は決済装置１０１のアンテナ２、第３の非接触通信部１により通信を行い通信状態判定部３で中継カード２０１として検出される。また、同時にデータ判定部４により決済カードの状態が読み込まれ、請求案件が何もデータとして書き込まれていないことを確認する。決済データ処理部５は、何も書き込まれていない中継カード２０１に対して、請求案件Ａに関するデータを第３の非接触通信部１と中継カード２０１の第２の非接触通信部２０を介して第２の請求情報保持部２３に書き込む。
【００３２】
次に、中継カード２０１は通信端末３０１と電磁誘導による非接触通信が可能な領域に
移動し通信端末３０１と通信を行う。通信端末３０１は、アンテナ３１を介して、第１の非接触通信部３０により、中継カード２０１の第２の請求情報保持部２３から第２の非接触通信部２０を介して読み込み、第１の決済情報保持部３０にデータ記録されると共に、ＩＤ情報保持部３３の情報に基づいて決済データを生成し中継カード２０１の第２の決済情報保持部２２に決済案件Ａの決済データとして記録される。この際の決済データとしては、例えば、通信端末３０１に保持される電子決済に必要なクレジットカードの情報や、端末固有のＩＤ情報などである。
【００３３】
さらに、中継カード２０１は決済装置１０１と電磁誘導による非接触通信が可能な領域に移動し、決済装置１０１は第２の決済情報保持部２２に書き込まれた通信端末３０１により決済処理が行われた決済情報を読み取ることで電子決済が行われる。
【００３４】
ここで、第２の決済情報保持部２２に決済情報が書き込まれた中継カード２０１と、通信端末３０１が同時に決済装置１０１の通信可能な領域に存在した場合、データ判定部４は、中継カード２０１を優先して決済処理を行う。
このように、本実施の形態によれば、決済装置１０１は中継カード２０１と優先して決済処理することにより、通信端末３０１、中継カード２０１の両方と決済を行うことによる２重決済を防止することができる。
これにより、本決済システムは、利用者が通信端末３０１を第３者に手渡す必要なく、かつ通信端末３０１を決済装置１０１まで移動させる必要がないため、安心して利用できるとともに高い利便性を備える。
【００３５】
さらに、決済装置１０１は通信端末３０１と中継カード２０１の両方が決済装置１０１の通信圏内に存在することを判定し、中継カード２０１を優先して決済処理することにより、２重決済を防止することができる。
【００３６】
さらに、決済装置１０１は通信端末３０１により決済情報が書き込まれた中継カード２０１と優先して決済処理をすることにより、２重決済を防止することができる。
【００３７】
（実施の形態２）
図２は、本発明の実施の形態２に係るシステム構成図である。
図２に示す決済装置１０２は、図１に示す実施の形態１に係る決済装置１０１に対して、第１の表示部７を追加した構成である。なお、図２において、図１と同一構成である部分には同一の符号を付してその説明を省略する。
第１の表示部７は決済装置１０２の第３の非接触通信部により中継カード２０１、かつ、または通信端末３０１が通信圏内に存在すると通信状態判定部３で判定され、決済データ処理部５で行う決済データ処理の内容を表示する。第１の表示部７で表示する内容としては、例えば、通信圏内に存在する中継カード２０１や、通信端末３０１の固有情報であり、さらに請求案件のデータを中継カード２０１に書き込む際には、請求案件の金額、明細、日付、店舗の名称、決済装置を操作した者の氏名などであり、決済処理を行う場合には、中継カード２０１の決済情報や、通信端末３０１が中継カード２０１に同一案件でデータを書き込んだか否かの情報などである。
このように、本実施の形態によれば、上記の実施の形態１の効果に加えて、通信端末３０１と中継カード２０１の両方が決済装置１０２の通信圏内に存在する場合、両方と通信可能であることを決済装置１０２の操作者が第１の表示部７の表示内容を確認することにより、２重決済を防止することができる。
（実施の形態３）
図３は、本発明の実施の形態３に係るシステム構成図である。
図３に示す決済装置１０３は、図１に示す実施の形態１に係る決済装置１０１または、図２に示す実施の形態２に係る決済装置１０２に対して、プリンタ８を追加した構成である。なお、図３において、図２と同一構成である部分には同一の符号を付してその説明を省略する。
プリンタ８は決済装置１０３により中継カード２０１、または通信端末３０１との間で
請求情報部６の案件データに基づき、決済データ処理部５で決済処理が完了した場合に決済内容を紙媒体に印字する機能である。プリンタ８で印字する内容としては、例えば、決済案件の金額、明細、日付、店舗の名称、決済装置１０３を操作した者の氏名や、決済処理を行った、通信端末３０１の決済に関するＩＤ情報の全部、もしくは一部、中継カード２０１を使用した決済の場合、中継カード２０１の固有情報などである。
このように、本実施の形態によれば、上記の実施の形態１または、実施の形態２の効果に加えて、通信端末３０１と中継カード２０１の両方が決済装置１０３の通信圏内に存在する場合両方と通信可能であることを決済装置１０３の操作者がプリンタ８により印字された内容を確認することにより、２重決済を防止することができる。
（実施の形態４）
図４は、本発明の実施の形態４に係るシステム構成図である。
図４に示す通信端末３０２は、図１〜３に示す実施の形態１〜３に係る通信端末３０１に対して、第３の表示部３４を追加した構成である。なお、図４において、図１〜３と同一構成である部分には同一の符号を付してその説明を省略する。
第２の表示部３４は通信端末３０２が中継カード２０１との間で請求・決済処理に関する通信を行う際に、決済の処理内容を表示する。第２の表示部３４で表示する内容としては、例えば、中継カード２０１から読み込んだ請求情報や、中継カード２０１に対する決済データの書き込みに関する確認内容、あらかじめ同一の決済案件に関して決済装置１０３で決済処理を完了している場合は、決済処理を行った決済装置１０３の情報、日付、請求・決済案件を関連付ける番号、決済装置１０３を操作した者の氏名などである。
このように、本実施の形態によれば、決済装置１０３は通信端末３０２が中継カード２０１と決済処理を行なったか否かが分かるため、決済処理を行っていない場合は通信端末３０２と直接決済を行い、中継カード２０１とは決済を行わないとすることにより、２重決済を防止することができる。
さらに、通信端末３０２は決済装置１０３と直接決済処理を行った後に中継カード２０１と同一案件の決済処理を行おうとした場合既に決済済みである旨を通信端末３０２の第２の表示部３４に表示することで、中継カード２０１の保有者に請求案件に対する決済処理が完了していることを知らせることができる。
（実施の形態５）
図５は、本発明の実施の形態５に係るシステム構成図である。
図５に示す決済装置１０４は、図１〜４に示す実施の形態１〜４に係る決済装置１０１〜１０３に対して、中継カードデータ消去部９を追加した構成である。なお、図５において、図１〜４と同一構成である部分には同一の符号を付してその説明を省略する。
中継カードデータ消去部９は決済装置１０４の第３の非接触通信部１により中継カード２０１と通信を行い、中継カード２０１の第２の決済情報保持部２に通信端末３０２によって決済処理を行うことによって書き込まれる通信端末３０２のＩＤ情報保持部３３に保持された決済を行う際に必要なＩＤが書き込まれていない状態で、決済装置１０４の決済データ処理部５で処理された場合に、中継カード２０１の第２の請求情報保持部２３のデータを消去する。
このように、本実施の形態によれば、上記の実施の形態１〜４の効果に加えて、通信端末３０２により決済処理が行われていない中継カード２０１と通信端末３０２が同時に決済装置１０４の通信圏内に存在する場合、決済装置１０４は通信端末３０２と決済処理を行い中継カード２０１の請求情報を消去することで、請求情報が書き込まれているが処理されることの無い中継カード２０１が不合理に存在することによる不正利用の可能性を低減することができる。
（実施の形態６）
図６は、本発明の実施の形態６に係るシステム構成図である。
【００３８】
図６に示す決済装置１０５は、決済データ処理部５により処理された決済処理の内容を有線又は無線でネットワークに接続し送信する第２のネットワーク通信部１０を図１〜５に示す決済装置１０１〜１０４に追加した構成である。同様に通信端末３０３は決済装置１０５から送信された決済処理内容を有線又は無線でネットワークに接続し受信する第１のネットワーク通信部３５を図１から５に示す通信端末３０１から３０２に追加した構成である。
【００３９】
このように、本実施の形態によれば、決済装置１０５によって無事に決済が完了したことを、通信端末２０１の使用者が知ることができ安心感を与えることができ本システムを使用した電子決済の信頼性を高めることができる。
【００４０】
なお、上記の実施の形態１〜実施の形態６において、上述した実施の形態に何ら限定されるものではなく、その要旨を逸脱しない範囲において種々の形態で実施し得るものである。
【産業上の利用可能性】
【００４１】
本発明にかかる決済装置、通信端末、中継カード及び決済方法は、非接触通信により通信端末と決済装置及び通信端末と決済装置間で電子決済データ受け渡しを行う中継カードを使用したモバイル電子決済を行うのに好適である。
【符号の説明】
【００４２】
１    第３の非接触通信部
２    アンテナ
３    通信状態判定部
４    データ判定部
５    決済データ処理部
６    第１の請求情報保持部
７    第１の表示部
８    プリンタ
９    中継カードデータ消去部
１０    第２のネットワーク通信部
２０    第２の非接触通信部
２１    アンテナ
２２    第２の決済情報保持部
２３    第２の請求情報保持部
３０    第１の非接触通信部
３１    アンテナ
３２    第１の請求情報保持部
３３    ＩＤ情報保持部
３４    第２の表示部
３５    第１のネットワーク通信部
１０１、１０２、１０３、１０４、１０５    決済装置
２０１    中継カード
３０１、３０２、３０３    通信端末
【図１】
2012037996.tif 000003
【図２】
2012037996.tif 000004
【図３】
2012037996.tif 000005
【図４】
2012037996.tif 000006
【図５】
2012037996.tif 000007
【図６】
2012037996.tif 000008